【事件の表示】
　特願２００６−５２６４０６「対話式及び個人専用の計画，介入及び報告能力を含む体重及び他の生理学的状態のモニター及び管理システム」拒絶査定不服審判事件〔平成１７年　３月３１日国際公開，ＷＯ２００５／０２９２４２，平成１９年　３月　８日国内公表，特表２００７−５０５４１２〕について，次のとおり審決する。
【結　論】
　本件審判の請求は，成り立たない。
【理　由】
１．手続きの経緯・本願発明
（１）手続きの経緯
　本願は，２００４年（平成１６年）９月１３日（パリ条約による優先権主張外国庁受理，２００３年９月１２日，２００４年３月２２日　米国）を国際出願日とする出願であって，平成１８年５月１５日日に特許法１８４条の４第１項の規定による翻訳文が提出され，平成１９年９月１３日に手続補正がなされ，平成２１年１２月２２日付けの拒絶理由の通知に対し，平成２２年７月５日に手続補正がなされたが，同年７月２６日付けで拒絶査定がなされ，これに対して同年１１月２９日に審判請求がなされるとともに手続補正がなされ，平成２４年４月２３日付けの審尋に対し，同年８月２３日に回答書が提出されたものである。
　
（２）本願発明について
　平成２２年１１月２９日の手続補正は，明りょうでない記載の釈明（拒絶理由通知に係る拒絶の理由に示す事項についてするものに限る。）を目的とするものに該当し，平成１８年法律第５５号改正附則３条１項によりなお従前の例によるとされる同法による改正前の特許法１７条の２第４項に規定する要件を満たすもので適法な補正である。
　したがって，本願の請求項１ないし２７に係る発明は，上記手続補正書の特許請求の範囲の請求項１ないし２７に記載された事項により特定されるものであるところ，その請求項１に係る発明（以下，「本願発明」という。）は，補正された明細書，特許請求の範囲及び図面の記載からみて，その請求項１に記載された事項により特定される，次のとおりのものである。
　
　「個人の予め設定したフィットネス目標値，体重目標値及びエネルギー消費目標値のうち少なくとも１つに関するフィードバックを与える一体型システムであって，
　個人の生理学的パラメータ及びコンテキストパラメータのうちの少なくとも１つを表わす電子的信号を発生する，ユーザーが着用可能なセンサー装置と，
　センサー装置と電子通信関係にあって，該センサー装置から電子的センサー信号を受ける処理ユニットとより成り，
　処理ユニットは，
　(i)入力装置から個人の予め設定した目標値を受け，
　(ii)目標達成のために推奨される行動の修正及び目標達成のための計画のうちの少なくとも１つを表わし，ユーザーに提供される電子的出力フィードバック信号を発生させ，
　(iii)電子的出力フィードバック信号を電子的センサー信号と比較することにより，予め設定した目標値に対する個人の進捗状況及びフィードバックの有効性を評価し，
　(iv)目標達成のために推奨される行動の再修正及び目標達成のための計画の修正のうちの少なくとも１つより成る評価結果に基づき電子的出力フィードバック信号を修正するように構成されており，修正された電子的出力フィードバック信号はユーザーに提供される一体型システム。」
　
２．引用例
（１）原査定の拒絶の理由に引用された国際公開第０１／０３９０８９号（以下「引用例」という。）には，次の記載がある。（なお，翻訳は，引用例に係る出願の再公表公報である特表２００３−５３４５８１号公報の記載を参考にした。）
　
ａ　「The invention relates to health management, in particular to diet management and weight control.
　……
　The total caloric expenditure of a person comprises a resting metabolic component and a physical activity component. Total energy expenditure (TEE) is the sum of resting energy expenditure (REE) and activity energy expenditure (AEE), i.e. TEE = AEE + REE. Weight loss occurs if total caloric expenditure (TEE) exceeds total caloric intake over a given time period. The net caloric balance for a person is the difference between caloric expenditure and caloric intake.
　Conventional weight loss programs use an estimated TEE based on estimates of activity levels, and estimates of REE from the Harris-Benedict equation. However, if REE is not estimated correctly, the person's caloric balance cannot be known accurately, and the outcome of a weight loss program is likely to be unsatisfactory.
　It is also known that RMR often falls during a restricted calorie diet. …… Hence, in addition to unpredictable variations in RMR from person to person, there are also unpredictable changes in RMR in response to a weight control program. The improved weight control system described herein overcomes these problems.  
Resting metabolic rate (RMR) can be measured using an indirect calorimeter. REE corresponds to the value RMR multiplied by an appropriate time period, usually one day.」（引用例，明細書１ページ２行〜３ページ３行）
　（本発明は，健康管理に係り，特に，食事療法管理及び体重調整に関する。
　・・・
　人の総カロリー消費量には，安静代謝成分と身体的活動成分とが含まれる。総カロリー消費量（ＴＥＥ）とは，安静エネルギー消費量（ＲＥＥ）と活動エネルギー消費量（ＡＥＥ）との合計であり，ＴＥＥ＝ＡＥＥ＋ＲＥＥで表される。所定時間内に総カロリー消費量（ＴＥＥ）が総カロリー摂取量を越えると体重が減少する。対象者の正味カロリー収支とは，カロリー消費量とカロリー摂取量との差分である。
　従来の減量プログラムでは，各々の活動レベルの推定に基づく推定ＴＥＥを使用するとともに，ハリス・ベネディクトの方程式からＲＥＥを推定する。しかし，ＲＥＥが正しく推定されなければ，対象者のカロリー収支を正確に知ることはできないため，十分な減量プログラム成果が得られない可能性がある。
　また，カロリーを制限した食事療法を行なっている時にはＲＭＲが低下する場合が多いことが知られている。・・・このため，個人差によるＲＭＲの変動を予測できないことに加え，体重調整プログラムに応じたＲＭＲの変化も予測することは不可能である。本明細書に記載する改良型の体重調整システムは，このような課題を克服するものである。
　安静代謝率（ＲＭＲ）は，間接カロリーメータを用いて測定することが可能である。ＲＥＥは，ＲＭＲに適切な時間（通常，１日）を掛けた値に相当する。）
　
ｂ　「It is an object of the present invention to provide an improved weight control system. In a preferred embodiment, the person using the improved weight control program (the user) is provided with a portable computing device, such as a personal digital assistant (PDA). The PDA has a software application program, which for convenience will be called a calorie management program. The calorie management program comprises the functionality of diet logging software, and enables the user to record food items consumed. The calorie management program preferably has other functionality, so as to assist the user to set and achieve weight goals.
　Another object of the invention is to provide a weight control system in which unpredictable variation of resting metabolic rate (RMR) are accounted for. The user preferably measures their RMR using a metabolic rate meter, such as an indirect calorimeter, and enter this value into the calorie management program. The user also enter weight control goals, such as a certain weight loss goal. The calorie management program uses the determined value of RMR to estimate total energy expenditure(TEE),based on an assumed level of physical activity , and determines a level of caloric intake which will enable the weight control goals to be met. During the weight control program, the user records weight ,food intake a diet log, activity levels ,and resting metabolic rate at intervals.
　A further object of the invention is to provide improved feedback to the user over a communications network. Caloric management data is transmitted from the PDA to the remote computer system. The user connects to the remote server at a convenient time , for example in the evening , and recorded diet log data , weight , and activity-related signals are transmitted to the remote server and stored in a related database. Feedback is generated by the remote computer system, and transmitted back to the portable computing device of the user.」（同４ページ１８行〜５ページ２１行）
　（本発明の目的は，改良型の体重調整システムを提供することにある。好適な実施形態において，改良型体重調整システムを使用する対象者（ユーザー）は，携帯情報端末（ＰＤＡ）のような携帯用の演算装置を所持する。このＰＤＡは，ソフトウェア・アプリケーションプログラムを備えるが，便宜上，このソフトウェア・アプリケーションプログラムは，以下，カロリー管理プログラムという。カロリー管理プログラムは，食事登録ソフトウェア機能を持ち，ユーザーは，この機能を使って摂取した食品類を記録することができる。カロリー管理プログラムは，体重目標をユーザーが設定してそれを達成することを支援するような他の機能を備えるのが好ましい。
　本発明の他の目的は，安静代謝率（ＲＭＲ）の予測できない変動を補償する体重調整システムを提供することにある。ユーザーは，間接カロリーメータのような代謝率メータを使用して自身のＲＭＲを測定し，その値をカロリー管理プログラムに入力するのが好ましい。また，ユーザーは，特定減量目標のような体重調整目標も入力する。カロリー管理プログラムは，求めたＲＭＲの値を用いて，身体的活動の推定レベルに基づき総エネルギー消費量（ＴＥＥ）を推定し，体重調整目標を満足するカロリー摂取のレベルを求める。体重調整プログラムの過程で，ユーザーは，間隔をおいて，体重，食事登録データからの食品摂取量，活動レベル，及び安静代謝率を記録する。
　本発明の他の目的は，通信ネットワークを介したユーザーへの改良型フィードバック方法を提供することにある。カロリー管理データは，ＰＤＡから遠隔コンピュータシステムに送信される。ユーザーは，都合の良い時に，例えば夕方，遠隔サーバに接続し，記録した食事登録データ，体重，活動に関する信号を遠隔サーバに送信して関連データベースに記憶する。フィードバック情報がコンピュータシステムにより生成され，ユーザーの携帯用演算装置に返送される。）
　
ｃ　「Figure 1A shows a handheld microprocessor-based device 10, used in preferred embodiments of the present invention, having a user display 12 and a user information input in the form of data entry buttons 14. The device 10 is a portable computing device, preferably a personal digital assistant (PDA), but it can also be a wireless phone, an electronic book, a pager, other portable computer, or other portable electronic device having computational functionality.……The PDA has a data transmission and reception means for transmitting data to (and receiving data from) a communications network, for example; a telephone modem, wireless modem, cable modem, network interface card, or other telecommunication transceiver.……
　Figure 1B is a schematic of an improved diet control system. Portable computing device 10 is connected to a communications network 20. A remote computer system 30 is also connected to the communications network, so as to allow data to be transmitted between the computing device 10 and the remote computer system 30 over the communications network 20. The communications network provides a communications link between devices connected to the communications network. The portable computing device 10 also receives data from a physical activity sensor 16, and body weight scales 18. The portable computing device also can communicate with a computer 22, the computer 22 also being connected to the communications network 20.」（同７ページ９行〜８ページ１１行）
　（図１Ａは，マイクロプロセッサを用いた手持ち式装置１０を示し，本発明の好適な実施形態において使用される。この手持ち式装置１０は，ユーザー用の表示部１２，及び複数のデータ入力ボタン１４の形式としたユーザー用の情報入力部を備える。手持ち式装置１０は，携帯用演算装置であり，携帯情報端末（ＰＤＡ）とすることが好ましいが，無線電話，電子ブック，ページャー，他の携帯用コンピュータ，又は計算機能を持つ他の携帯用電子機器であってもよい。・・・ＰＤＡは，通信ネットワークにデータを送信したり，通信ネットワークからデータを受信したりするデータ送受信手段，例えば，電話モデム，無線モデム，ケーブルモデム，ネットワークインターフェースカード，又は他の遠距離通信トランシーバを備える。・・・
　図１Ｂは，改良型食事療法用調整システムの概略図である。携帯用演算装置１０は，通信ネットワーク２０に接続されている。遠隔コンピュータシステム３０も通信ネットワーク２０に接続されており，この通信ネットワークを介して演算装置１０と遠隔コンピュータシステム３０との間でデータを伝送することができる。通信ネットワークは，それに接続された複数の装置間の通信回線となる。また，携帯用演算装置１０は，身体的活動センサ１６及び体重計１８からのデータを受信する。更に，携帯用演算装置は，通信ネットワーク２０に接続されたコンピュータ２２と通信することができる。）
　
ｄ　The remote computer system 30 is preferably a server system. The remote computer 30 is connected to the network 20, and is adapted to receive data from the PDA such as digital representations of data stored in the memory of PDA 10. The remote computer 30 has an application programs for analyzing the user's caloric consumption , caloric expenditure, and net caloric balance, and for generating feedback (such as critical messages, other advice, educational content, and the like) to the user, the messages and feedback relating to the user's progress toward a weight control goal. The remote computer 30 also has transmission circuitry for transmitting messages and feedback over the network 20 to the PDA 10.The messages and feedback act to motivate the user to make progress towards a weight control goal.」（同８ページ１８行〜９ページ５行）
　（遠隔コンピュータシステム３０は，サーバシステムであるのが好ましい。遠隔コンピュータ３０は，ネットワーク２０に接続されており，ＰＤＡ１０のメモリに記憶されたデータを表すデジタル信号のようなデータをＰＤＡから受信することができる。遠隔コンピュータ３０は，ユーザーのカロリー摂取量，カロリー消費量，及び正味カロリー収支を分析するとともに，ユーザーへの（重要なメッセージ，他のアドバイスや教育的内容等の）フィードバック情報，即ち，体重調整目標に対するユーザーの進捗状況についての各種メッセージやフィードバック情報を生成するためのアプリケーションプログラムを備えている。また，遠隔コンピュータ３０は，ネットワーク２０を介してＰＤＡ１０に各種メッセージやフィードバック情報を送信するための送信回路も備えている。各種メッセージ及びフィードバック情報は，体重調整目標に向けて前進するようにユーザーを動機付けるように機能する。）
　
ｅ　「The PDA 10 has a software application program so as to assist the user to set and achieve weight goals. The program is adapted to receive user inputs related to user caloric intake and user caloric expenditure and to calculate user net caloric balance on a daily basis. For convenience, this program running on the PDA 10 will be called a calorie management program. The calorie management program comprises the functionality of diet logging software, and enables the user to record food items consumed. The PDA has a memory for storing user inputs related to caloric intake and caloric expenditure, and a transmission means for providing digital representations of the information stored in the memory.」（同９ページ９行〜１７行）
　（ＰＤＡ１０は，ユーザーが体重目標を設定しそれを達成することを支援するためのソフトウェア・アプリケーションプログラムを備える。このプログラムは，ユーザーのカロリー摂取量及びユーザーのカロリー消費量に関するユーザー入力を受信して，１日毎のユーザーの正味カロリー収支を計算するようになっている。便宜上，ＰＤＡ１０において作動するこのプログラムをカロリー管理プログラムということにする。カロリー管理プログラムは，食事登録ソフトウェアの機能を有し，カロリー管理プログラムにより，ユーザーは，摂取する食品類を記録することができる。ＰＤＡは，カロリー摂取及びカロリー消費に関するユーザー入力を記憶するためのメモリ，及びこのメモリに記憶された情報を表すデジタル信号を生成する送信手段を備えている。）
　
ｆ　「Before the start of the weight control program, the user completes a set-up procedure.……
　The user enters start parameters (box 42), such as starting date, initial weight, age, height, body fat percentage, lifestyle activity level, and frame size.……The user also enters lifestyle information, such as occupation, physical activity levels, time at work, and time asleep.……
　Preferably, the user determines their initial resting metabolic rate (RMR) using an indirect calorimeter, and enters this value into the calorie management software.……
　The user then enters their goal or goals (box 44), such as a weight goal (weight loss, weight gain, or weight maintenance), fat loss, muscle building, blood pressure reduction, blood sugar control, and the like. ……
　The software determines a caloric intake level consistent with the weight loss goals (box 48).……
　The user is offered the possibility of changing the activity level, which changes AEE and hence the allowed caloric intake (box 52). For example, a user might prefer to exercise more and eat more, while still remaining within a planned calorie deficit. After such changes, allowed caloric intake calculations (box 48) and nutritional advice calculations (box 50) are repeated. The user then exits the set-up procedure, after confirming the accuracy of entered parameters (box 54), and can then start the weight control program.」（同１０ページ７行〜１３ページ５行）
　（体重調整プログラムを開始するに先立って，ユーザーは，設定処理を行なう必要がある。・・・
　開始日，初期体重，年齢，身長，体脂肪率，日常生活の活動レベル，体格等の開始パラメータを入力する（ボックス４２）。・・・更に，ユーザーは，職業，身体的活動レベル，就業時間，睡眠時間等の日常生活の情報も入力する。・・・
  ユーザーは，間接カロリーメータを使用して安静代謝率（ＲＭＲ）を測定し，この測定値をカロリー管理ソフトウェアに入力するのが好ましい。・・・
　次に，ユーザーは，体重目標（減量，増量，又は体重維持），体脂肪低減，筋肉作り，血圧低減，血糖値調整等の１つ又は複数の目標を入力する（ボックス４４）。本明細書においては，便宜上，ユーザーが減量を望んでいる例を想定する。この場合，ユーザーは，ある期間における総減量値，又は（例えば，毎週１ポンド（約４５４グラム）の）目標減量率のような減量目標値を入力する。
　ソフトウェアにより，減量目標に相応しいカロリー摂取レベルが求められる（ボックス４８）。・・・
　ユーザーは，活動レベルを変更する，即ち，ＡＥＥを変更することにより許容カロリー摂取量を変更することができる（ボックス５２）。例えば，ユーザーは，計画したカロリー不足の状態に維持しつつ，運動量を増やして食べる量を増やす方を選択することができる。この変更を行なって，許容カロリー摂取量の計算（ボックス４８）及び栄養学上のアドバイス情報の計算（ボックス５０）を繰返す。次に，入力パラメータが正しいか確認（ボックス５４）した後に，ユーザーは，設定処理を終了して体重調整プログラムを開始することができる。）
　
ｇ　「The PDA is used to record and display caloric intake and caloric expenditure. The data may be presented as a running total in terms of caloric balance, or on a daily basis, indicating the days on which caloric balance goals were achieved. 
　The PDA can be used to record informal calorie management data, such as voice memos, images, notes, barcodes, or purchase information, and such informal data can be used to construct a full diet log at a later convenient time, using calorie management software running either on the PDA or on the remote computer system.
　Preferably, the calorie management software running on PDA 10 receives data related to the physical activity level of the user. The user can enter the time, duration, and intensity of exercises or other activities into the calorie management software. Preferably, the PDA provides a menu of activities to the user and the user chooses an activity and enters a duration.」（同１４ページ４行〜１５行）
　（ＰＤＡを使ってカロリー摂取量とカロリー消費量とを記録し表示する。データは，カロリー収支の観点からの総合値，又は，カロリー収支目標が達成された日の数を示す。
  ＰＤＡは，それ自身又は遠隔コンピュータシステムにおいて作動するカロリー管理ソフトウェアを利用して，音声メモ，画像，記号，バーコード，又は購入情報や後で都合のよい時に完全な食事登録データを生成するために使う情報データのような略式カロリー管理データを記録するために使用することができる。
　ＰＤＡ１０において作動するカロリー管理ソフトウェアは，ユーザーの身体的活動レベルに関するデータを受信するよう構成するのが好ましい。ユーザーは，運動又は他の活動の時刻，期間，及び強度をカロリー管理ソフトウェアに入力することができる。ＰＤＡが活動のメニューをユーザーに示し，ユーザーはその中から活動を選択して期間を入力するようにするのが好ましい。）
　
ｈ　「The user preferably carries a physical activity monitor 16 which provides a signal related to physical activity, and preferably this is a body mounted pedometer comprising one or more accelerometers. …….Physical activity monitors providing a signal correlated with one or more physiological parameters, such as heart rate, body temperature, respiration frequency, and the like can also be used in system embodiments.
　Data can be transferred from the activity monitor 16 to the PDA 10 using a cable link, wireless methods (such as the Bluetooth protocol or an IR link), using the transfer of memory modules, or by the formation of a data transfer interface between monitor 16 and PDA 10. The calorie management software on PDA 10 receives any such activity-related data, and processes the data so as to provide an estimate of activity related data (AEE).　
　Heart rate and other physiological parameters can also be monitored to provide a signal related to physical activity. The PDA can receive data from other physiological monitors, for example scales, a body fat meter, a pulse rate meter, a body temperature sensor, and the like. …… The activity sensor 16 may possess additional functionality so as to act as a physiological monitor, physical location monitor, or environmental monitor.」（同１５ページ３行〜２２行）
　（ユーザーは，身体的活動に関する信号を生成する身体的活動モニター１６を携行するのが好ましく，この身体的活動モニターは，１つ又は複数の加速度計を備えた身体装着型の歩数計とするのが好ましい。・・・さらに，心拍数，体温，呼吸数等の１つ又は複数の生理学的パラメータと相関性のある信号を生成する身体的活動モニターを本システムの実施形態に使用することができる。
　ケーブル回線，（ブルートゥース・プロトコル又はＩＲ回線のような）無線方式を使用して，又はメモリモジュールを移動して，又はモニター１６とＰＤＡ１０との間のデータ転送インターフェースを形成することによって活動モニター１６からＰＤＡ１０にデータを送信することができる。ＰＤＡ１０のカロリー管理ソフトウェアは，このような活動関連データを受信し，このデータを処理して活動関連データ（ＡＥＥ）の推定値を生成する。
　また，心拍数及び他の生理学的パラメータをモニターして身体的活動に関する信号を生成することも可能である。ＰＤＡは，例えば，体重計，体脂肪計，脈拍計，体温センサ等の他の生理学的モニターからのデータを受信することができる。・・・活動センサ１６に，生理学的モニター，物理学的モニター，又は環境モニターとして働くような他の機能を持たせることもできる。）
　
ｉ　「The PDA 10 and remote computer system (server system 30) then enter a data synchronization step (box 62). Data recorded by the calorie management program, and stored in the memory of PDA 10, is transmitted to the remote computer system 30. This includes data related to caloric intake, the most recent weight of the user, physical activity data, and metabolic rate data (if available). A software program running on the remote computer system 30 (server software) receives the data and stores the newly receive data on a database, where it is accessible by the server software.
　The received data and cumulative stored data are processed by the server software (box66), so as to analyze the data in relation to user goals. The server software provides feedback to the user corresponding to the data analysis (box 68).」（同１６ページ７行〜１６行）
　（次に，ＰＤＡ１０及び遠隔コンピュータシステム（サーバシステム３０）は，データ同期ステップ（ボックス６２）に入る。カロリー管理プログラムに記録されたデータ及びＰＤＡ１０のメモリに記憶されたデータは，遠隔コンピュータシステム３０に送信される。この送信データには，カロリー摂取量に関するデータ，ユーザーの最新体重，身体的活動データ，及び（可能な場合）代謝率データが含まれる。遠隔コンピュータシステム３０において作動するソフトウェアプログラム（サーバソフトウェア）は，これらデータを受信し，サーバソフトウェアがアクセス可能なデータベースにこれら新たな受信データを記憶する。
　受信データ及び蓄積された記憶データは，ユーザー目標に対するデータを解析するために，サーバソフトウェアによって処理される（ボックス６６）。サーバソフトウェアは，このデータ分析に対応して，ユーザーにフィードバック情報を提供する（ボックス６８）。）
　
ｊ　「The server program 80 compares the recent data with the weight loss goal, and selects feedback from the available material provided by feedback surce 84.」（同１７ページ２０行〜２２行）
　（サーバプログラム８０は，最新データを減量目標と比較しフィードバック情報源８４が保有する利用可能な内容の中からフィードバック情報を選択する。）
　
ｋ　「Data analysis by the server software and the provision of feedback to the user are now discussed in more detail. The application software on the remote computer system (server software) processes the data received from the user over the communications network, so as to determine appropriate feedback. The PDA is used to display audiovisual feedback received over the communications network for the purpose of providing dietary feedback to the user. For example, if the diet is progressing successfully towards a weight loss goals, the feedback would praise the user, and offer encouragement to the user to continue to succeed.」（同１８ページ７行〜１４行）
　「サーバソフトウェアによるデータ分析及びユーザーへのフィードバック情報の提供について，より詳細に説明する。遠隔コンピュータシステムのアプリケーションソフトウェア（サーバソフトウェア）は，通信ネットワークを介してユーザーから受信したデータを処理することによって，適切なフィードバック情報を決定する。ユーザーに食事療法に関するフィードバック情報を提供するために，ＰＤＡを使用して通信ネットワークを介して受信した視聴覚フィードバック情報を表示する。例えば，食事療法が減量目標に向けて順調に推移している場合には，このフィードバック情報はユーザーを賞賛し，これを継続するようユーザーを激励する。」
　
ｌ　「The application program on the remote computer (server software) receives the calorie management data from the PDA at intervals , the data comprising caloric intake data, avtivity data, body weight, and resting metabolic rate of the user. The server software analyzes the data in relation to the probability of the user meeting weight goals, and provides feedback to the user over the communications network. For example, if the resting metabolic rate of the user falls in response to the weightcontrol program, the server software will provide feedback to assist the user meet a weight goal in view of the changing RMR. …… For example, the caloric intake allowance may be decreased, activity levels increased, weigt goals may be modified, or some combination suggested. The user may enter an interactive dialog with the server software, or a human advisor, over the communications link, so as to establish new diet parameters.」（同２８ページ１２行〜２９ページ１行）
　（遠隔コンピュータのアプリケーションプログラム（サーバソフトウェア）は，ユーザーのカロリー摂取日，活動日，体重，及び安静代謝率を含むカロリー管理データを，時間間隔を置いてＰＤＡから受信する。サーバソフトウェアは，体重目標を達成するユーザーの可能性との関連においてこのデータを分析し，通信ネットワークを介してユーザーにフィードバック情報を送信する。例えば，ユーザーの安静代謝率が体重調整プログラムに対応して低下する場合，サーバソフトウェアは，ＲＭＲを変更する観点でユーザーが体重目標を達成することを支援するためのフィードバック情報を提供することになる。・・・例えば，カロリー摂取許容値を下げる，活動レベルを高める，体重目標を変更する，又はそれらの組み合せが提案される。ユーザーは，通信回線を介してサーバソフトウェア又は相談員と対話して新たな食事療法のパラメータを構築する。）
　
ｍ　「Figure 14 shows a schematic of a wrist-mounted device for inclusion into an improved weight control or health management program. ……A heart rate sensor (not shown) is provided on rear of the housing, so as to contact the wrist of the user and provide a signal related to heart rate of the user.
　……
　Other physiological monitors which may be incorporated into the wrist-mounted SAM include a blood glucose sensor, a temperature sensor, an accelerometer, and the like. An optical imaging device can be provided for recording digital images of foods consumed.」（同３６ページ１２行〜３７ページ１１行）
　（図１４は，改良型体重調整又は健康管理プログラムに含ませるための手首装着型装置を示す概略図である。・・・ハウジングの裏面側に，ユーザーの手首に接触してユーザーの心拍数に関する信号を生成する心拍数センサ（図示せず）が設けられる。
　・・・
　手首装着型ＳＡＭに組み込むことが可能な他の生理学的モニターとして，血糖値センサ，温度センサ，加速度センサ等が挙げられる。摂取した食品のデジタル画像を記録するために，光学的撮像素子を設けることもできる。）
　
ｎ　「The health management business also provides the remote computer 30 and a website accessible through a communications network. The health management business provides a software program running on the remote computer 30 adapted to receive diet log and exercise log data relating to the user, and further adapted to provide feedback to the user. Preferably, employees of the health management business can access data relating to a user for review and further feedback. The feedback to the user can be provided in a largely automated process involving a computer expert system. Preferably, the feedback is made more user friendly by generating for example an animated human face accompanying the audio advice. Appropriate video clips may also be selected to provide detailed feedback. Such computationally intense software is presently better suited for running on the remote computer than on a handheld device, however in the future it may be possible to generate animations on the handheld device responsive to wireless communications from the remote computer. In relating to website feedback, the software receives caloric intake, activity related data, and weight data of the user. The software generates a graph of caloric balance, weight, and other health related parameters against time. For example, a running caloric balance may be provided to indicate the user's success on a diet program. Alternatively, a day-by-day feedback may be provided in which days with a positive caloric balance are indicated as good, for example using colors or money symbols or weather-related symbols, whereas days with a negative caloric balance are shown as bad using appropriate symbols.」（同３８ページ１３行〜３９ページ１０行）
　（健康管理企業は，遠隔コンピュータ３０及び通信ネットワーク３０を介してアクセス可能なホームページを準備する。健康管理企業は，ユーザーに関する食事登録及び運動登録データを受信するとともにユーザーにフィードバック情報を提供するよう構成された遠隔コンピュータ３０において作動するソフトウェアプログラムを準備する。健康管理企業の従業員は，ユーザーに関するデータにアクセスでき，そのデータを検討してフィードバックするのが好ましい。ユーザーへのフィードバック情報は，コンピュータエキスパートシステムを含む大部分自動化された処理で提供できる。フィードバック情報は，例えば，音声による助言を伴う動画的ヒトの顔を生成することによって利用し易いものとするのが好ましい。また，詳細なフィードバック情報を提供するために，適切な映像クリップを選択することも可能である。このような演算集中型のソフトウェアは，現状では，手持ち式装置よりも遠隔コンピュータで作動するのに適しているが，将来においては，遠隔コンピュータからの無線通信に応答して，手持ち式装置に動画を生成できる可能性がある。ホームページのフィードバック情報に関連して，ソフトウェアは，ユーザーのカロリー摂取量，活動関連データ，及び，体重データを受信する。ソフトウェアは，時間軸に対する，カロリー収支，体重，及び，他の健康管理パラメータの表を生成する。例えば，連続的なカロリー収支を，食事療法プログラム上にユーザーの成功を示すために提供することができる。その代わりに，正のカロリー収支の日を，例えば，色，お金の記号，天気関連の記号で合格として示し，負のカロリー収支の日を適切な記号を使って不合格として示すような日々のフィードバック情報を提供することもできる。
　
（２）記載事項によれば，引用例には次の技術的事項が記載されている。
ア　引用例に記載された技術は，体重調整システムに関する。
　従来の減量プログラムは，推定した安静代謝率ＲＭＲに基づく安静エネルギー消費量ＲＥＥを使用してカロリー収支を求めていたが，安静エネルギー消費量ＲＥＥを正確に推定できなければ対象者のカロリー収支を正確に知ることができず，十分な減量プログラム成果が得られないという課題があった。
　引用例の体重調整システムは，安静代謝率ＲＭＲの個人差や体重調整プログラムに応じた変化を考慮することにより上記課題を解決するものである。（記載事項ａ）
　
イ　ユーザーは，携帯情報端末ＰＤＡのような携帯用演算装置１０（以下，単に「ＰＤＡ」ともいう。）を所持し，ＰＤＡは，表示部及びユーザー用の情報入力部を備え，身体的活動モニター（身体的活動センサ）１６からのデータを受信することができるようになっており，さらに，ＰＤＡは，遠隔コンピュータシステム（サーバシステム）３０（以下，単に「遠隔コンピュータ」という。）と，通信ネットワーク２０により接続され，遠隔コンピュータとの間でデータを伝送することができるように構成されている（記載事項ｂ）。
　また，ＰＤＡは，ユーザーが体重調整目標（以下，「体重目標」という。）を設定して，それを達成することを支援する機能を備えたカロリー管理プログラム（カロリー管理ソフトウェア）を備え（記載事項ｂ，ｅ），一方，遠隔コンピュータは，ＰＤＡから送信されるカロリー管理データに基づいて，ユーザーのカロリー摂取量，カロリー消費量，及び正味カロリー収支を分析するとともに，ユーザーへの，重要なメッセージ，他のアドバイスや教育的内容等のフィードバック情報，即ち，体重目標に対するユーザーの進捗状況についての各種メッセージやフィードバック情報を生成するためのサーバプログラム（サーバソフトウェア）を備える（記載事項ｄ，ｉ，ｌ）。
　
ウ　またユーザーは，身体的活動モニター１６を携行し，身体的活動モニター１６は，身体的活動に関する信号を生成するものであり，心拍数センサ，血糖値センサ，温度センサ，加速度センサ等の生理学的モニターを組み込んだ手首装着型装置を使用することができる（記載事項ｈ，ｍ）。さらに，身体的活動モニターには，生理学的モニター，物理学的モニター，又は環境モニターとしての機能を持たせることもできる（記載事項ｈ）。身体的活動モニターからＰＤＡに活動関連データを送信すると，ＰＤＡのカロリー管理プログラムは，このデータを処理して活動エネルギー消費量ＡＥＥの推定値を生成し，また，心拍数等の生理学的パラメータをモニターして身体的活動に関する信号を生成する（記載事項ｈ）。
　
エ　体重調整プログラムを開始する際の設定処理において，ユーザーが，ＰＤＡから初期体重等の開始パラメータ，安静代謝率ＲＭＲ，体重目標を含む目標等を入力すると，カロリー管理プログラムは，安静代謝率ＲＭＲ及び活動エネルギー消費量ＡＥＥの推定値（身体的活動の推定レベル）に基づき総エネルギー消費量ＴＥＥを推定し，体重目標（減量目標）を満足するカロリー摂取レベル（許容カロリー摂取量）を計算する。ここで，ユーザーは，計画したカロリー不足の状態を維持しつつ運動量を増やして食べる量を増やすなど，活動レベルを変更することにより許容カロリー摂取量を変更することができる。そして，ユーザーが入力パラメータが正しいことを確認すると設定処理を終了し，体重調整プログラムを開始する。（以上，記載事項ｂ，ｆ）
　
オ　体重調整の過程で，ＰＤＡには，カロリー摂取量に関するデータ，ユーザーの最新体重，身体的活動データ，及び安静代謝率ＲＭＲを含むカロリー管理データが，間隔をおいて記録され，これらのカロリー管理データは，遠隔コンピュータに送信される（記載事項ｂ，ｉ）。
　遠隔コンピュータのサーバプログラムは，受信したカロリー管理データをデータベースに記憶し，受信データ及び蓄積された記憶データに基づいて分析を行い，減量目標を達成するためのフィードバック情報を決定する（記載事項ｂ，ｉ，ｊ，ｋ）。そして，フィードバック情報はＰＤＡに送信され，ユーザーに提供される（記載事項ｂ，ｉ，ｋ）。
　ここで，フィードバック情報は，ユーザーが体重目標を達成することを支援するための情報であり，例えば，カロリー摂取許容値を下げる，活動レベルを高める，体重目標を変更する等の提案などが含まれ，体重目標に向けて前進するようにユーザーを動機付けるように機能するものである（記載事項ｄ，ｋ，ｌ）。また，フィードバック情報は，画像や映像クリップ等として，ホームページ等により，ユーザーに提供することができる（記載事項ｎ）。
　
（３）これらのことから，引用例には，次の発明（以下「引用発明」という。）が記載されていると認められる。
「ユーザーは，携帯用演算装置である携帯情報端末ＰＤＡを所持するとともに身体的活動モニターを携行し，
　ＰＤＡは，表示部及びユーザー用の情報入力部を備え，通信ネットワークを介して遠隔コンピュータとの間でデータを伝送することができ，身体的活動モニターからのデータを受信することができるように構成されており，ユーザーが体重目標を設定しそれを達成することを支援するためのカロリー管理プログラムを備え，
　身体的活動モニターは，身体的活動に関する信号を生成するための心拍数センサ，血糖値センサ，温度センサ，加速度センサ等の生理学的モニターを組み込んだ手首装着型装置であり，身体的活動モニターからＰＤＡに活動関連データを送信すると，ＰＤＡのカロリー管理プログラムは，このデータを処理して活動エネルギー消費量ＡＥＥの推定値を生成するものであり，
　体重調整プログラムを開始する際の設定処理において，ユーザーが，ＰＤＡから初期体重等の開始パラメータ，安静代謝率ＲＭＲ，体重目標を含む目標等を入力すると，カロリー管理プログラムは，安静代謝率ＲＭＲ及び活動エネルギー消費量ＡＥＥの推定値（身体的活動の推定レベル）に基づき総エネルギー消費量ＴＥＥを推定し，体重目標を満足する許容カロリー摂取量を計算し，ここで，ユーザーは，活動レベルを変更することにより許容カロリー摂取量を変更することができ，その後，ユーザーが入力パラメータが正しいことを確認すると設定処理を終了して体重調整プログラムを開始し，
　体重調整の過程で，ＰＤＡには，カロリー摂取量に関するデータ，ユーザーの最新体重，身体的活動データ，及び安静代謝率ＲＭＲを含むカロリー管理データが，間隔をおいて記録され，これらのカロリー管理データは遠隔コンピュータに送信され，
　遠隔コンピュータは，サーバプログラムを備え，
　サーバプログラムは，ＰＤＡから受信したカロリー管理データをデータベースに記憶し，受信データ及び蓄積された記憶データに基づいて，ユーザーのカロリー摂取量，カロリー消費量，及び正味カロリー収支の分析を行い，体重目標に対するユーザーの進捗状況についての各種メッセージやフィードバック情報を生成し，ＰＤＡに送信するものであり，ここで，フィードバック情報は，ユーザーが体重目標を達成することを支援するための情報であり，例えば，カロリー摂取許容値を下げる，活動レベルを高める，体重目標を変更する等の提案が含まれ，体重目標に向けて前進するようにユーザーを動機付けるように機能するものであって，画像や映像クリップ等として，ホームページ等により，ユーザーに提供することができるものである，
　体重調整システム。」
　
３．対比
（１）以下，本願発明と引用発明とを対比する。
　
ア　本願発明の発明特定事項には，「電子的センサー信号」に関連して，「電子的センサー信号」は，「個人の生理学的パラメータ及びコンテキストパラメータのうちの少なくとも１つを表わす電子的信号を発生する，ユーザーが着用可能なセンサー装置」が発生する信号であって，「センサー装置と電子通信関係にあって，該センサー装置から電子的センサー信号を受ける処理ユニット」に送信されることが特定されている。
　他方，引用発明には，「ユーザーは，携帯用演算装置である携帯情報端末ＰＤＡを所持するとともに身体的活動モニターを携行」し，「ＰＤＡは，通信ネットワークを介して遠隔コンピュータとの間でデータを伝送することができ，また，身体的活動モニターからのデータを受信することができるように構成」されており，「身体的活動モニターは，身体的活動に関する信号を生成するための心拍数センサ，血糖値センサ，温度センサ，加速度センサ等の生理学的モニターを組み込んだ手首装着型装置」であることが特定されている。
　引用発明の「身体的活動モニター」に組み込まれた「心拍数センサ，血糖値センサ，温度センサ，加速度センサ等の生理学的モニター」が発生する「身体的活動に関する信号」は，「生理学的パラメータ」にほかならず，「身体的活動モニター」は，本願発明の，「個人の生理学的パラメータ及びコンテキストパラメータのうちの少なくとも１つを表わす電子的信号を発生するセンサー装置」に相当する。さらに，「身体的活動モニター」は，「手首装着型装置」であることから，「ユーザーが着用可能なセンサー装置」ということができる。また，引用発明の構成を総合すれば，身体的活動モニターが発生するデータは，「携帯情報端末ＰＤＡ」に送信されるとともに，ＰＤＡから通信ネットワークを介して，「遠隔コンピュータ」にも伝送されるものであり，「遠隔コンピュータ」は，センサー装置と直接「電子通信関係」にあるとはいえないものの，本願発明における「センサー装置から電子的センサー信号を受ける処理ユニット」に対応するものである。
　そうすると，本願発明と引用発明とは，「個人の生理学的パラメータ及びコンテキストパラメータのうちの少なくとも１つを表わす電子的信号を発生する，ユーザーが着用可能なセンサー装置と，該センサー装置から電子的センサー信号を受ける処理ユニットとより成」る点で共通する。
　
イ　本願発明の発明特定事項には，「処理ユニット」が，「目標達成のために推奨される行動の修正及び目標達成のための計画のうちの少なくとも１つを表わし，ユーザーに提供される電子的出力フィードバック信号を発生させることが特定されている。
　他方，引用発明には，「ＰＤＡ」は，「表示部及びユーザー用の情報入力部」と，「ユーザーが体重目標を設定しそれを達成することを支援するためのカロリー管理プログラム」を備え，身体的活動モニターから受信した活動関連データを処理して「活動エネルギー消費量ＡＥＥの推定値」を生成し，「体重調整プログラムを開始する際の設定処理」において，「ユーザーが，ＰＤＡから初期体重等の開始パラメータ，安静代謝率ＲＭＲ，体重目標を含む目標等を入力」すると，カロリー管理プログラムは，「安静代謝率ＲＭＲ及び活動エネルギー消費量ＡＥＥの推定値（身体的活動の推定レベル）に基づき総エネルギー消費量ＴＥＥを推定し，体重目標を満足する許容カロリー摂取量を計算」し，ユーザーは，「活動レベルを変更することにより許容カロリー摂取量を変更」し，「入力パラメータが正しいことを確認すると設定処理を終了して体重調整プログラムを開始」することが特定されている。
　引用発明は，「体重調整プログラムを開始する際の設定処理」において，ユーザーが，ＰＤＡのユーザー用の情報入力部から「体重目標」を含むパラメータを入力すると，カロリー管理プログラムは，「体重目標を満足する許容カロリー摂取量」を計算し，ユーザーは，その結果に基づき適宜「活動レベル」を変更し「許容カロリー摂取量」を変更することができるのであるから，「体重目標を満足する許容カロリー摂取量」，変更後の「活動レベル」，「許容カロリー摂取量」等がＰＤＡの表示部に表示されユーザーに提示されることは自明である。
　また，これらの情報は，「目標達成のために推奨される行動の修正」あるいは「目標達成のための計画」を表すものであって，ユーザーがパラメータを入力した結果，ユーザーに提供される情報であるから，「フィードバック」情報にほかならず，さらに，当該情報は，ＰＤＡの表示部に表示されることから，「電子的出力フィードバック信号」ということができる。
　そうすると，引用発明は，処理主体は相違するものの，本願発明における，「入力装置から個人の予め設定した目標値を受け，目標達成のために推奨される行動の修正及び目標達成のための計画のうちの少なくとも１つを表わし，ユーザーに提供される電子的出力フィードバック信号を発生させ」る構成を，実質的に備える。
　
ウ　本願発明の発明特定事項には，「処理ユニット」が，「電子的出力フィードバック信号を電子的センサー信号と比較することにより，予め設定した目標値に対する個人の進捗状況及びフィードバックの有効性を評価」し，「目標達成のために推奨される行動の再修正及び目標達成のための計画の修正のうちの少なくとも１つより成る評価結果に基づき電子的出力フィードバック信号を修正」し，「修正された電子的出力フィードバック信号はユーザーに提供される」ことが特定されている。
　他方，引用発明には，「体重調整の過程で，ＰＤＡには，カロリー摂取量に関するデータ，ユーザーの最新体重，身体的活動データ，及び安静代謝率ＲＭＲを含むカロリー管理データが，間隔をおいて記録され，これらのカロリー管理データは遠隔コンピュータに送信され」，「遠隔コンピュータ」が備える「サーバプログラム」は，「ＰＤＡから受信したカロリー管理データをデータベースに記憶し，受信データ及び蓄積された記憶データに基づいて，ユーザーのカロリー摂取量，カロリー消費量，及び正味カロリー収支の分析を行い，体重目標に対するユーザーの進捗状況についての各種メッセージやフィードバック情報を生成し，ＰＤＡに送信するもの」であること，及び「フィードバック情報」は，「ユーザーが体重目標を達成するのを支援するための情報」であり，「例えば，カロリー摂取許容値を下げる，活動レベルを高める，体重目標を変更する等の提案が含まれ，体重目標に向けて前進するようにユーザーを動機付けるように機能するものであって，画像や映像クリップ等として，ホームページ等により，ユーザーに提供することができるもの」であること，が特定されている。
　引用発明の「各種メッセージやフィードバック情報」は，「遠隔コンピュータ」が，体重調整の過程で，間隔をおいて取得したカロリー管理データ，すなわち，身体的活動モニターのデータから得られたデータを分析することにより生成する，「体重目標に対するユーザーの進捗状況」に係る情報であって，「カロリー摂取許容値を下げる，活動レベルを高める，体重目標を変更する等の提案」を含むものであり，前記分析において，進捗状況に係る情報を得るためには，体重調整プログラムを開始する際の目標と比較する必要があること，また，前記「カロリー摂取許容値を下げる，活動レベルを高める，体重目標を変更する等の提案」をするためには，比較結果に基づいて計画等の有効性を評価する必要があることは，当業者にとって自明であり，評価結果としてユーザーに提示される「各種メッセージやフィードバック情報」は，「目標達成のために推奨される行動の再修正」あるいは「目標達成のための計画の修正」であって，「フィードバック信号の修正」にほかならない。
　また，「各種メッセージやフィードバック情報」は，画像や映像クリップ等として，ホームページ等により，ユーザーに提供することができるもの」であることから，「電子的出力信号」である。
　そうすると，引用発明は，本願発明における，「処理ユニットは，電子的出力フィードバック信号を電子的センサー信号と比較することにより，予め設定した目標値に対する個人の進捗状況及びフィードバックの有効性を評価し，目標達成のために推奨される行動の再修正及び目標達成のための計画の修正のうちの少なくとも１つより成る評価結果に基づき電子的出力フィードバック信号を修正するように構成されており，修正された電子的出力フィードバック信号はユーザーに提供される」構成を，実質的に備えるものである。
　
エ　引用発明は，少なくとも「体重目標」についてのフィードバックを与えるシステムということができるから，本願発明と引用発明とは，「個人の予め設定したフィットネス目標値，体重目標値及びエネルギー消費目標値のうち少なくとも１つに関するフィードバックを与えるシステム」である点で共通する。
　
（２）以上のことから，本願発明と引用発明との一致点及び相違点は，次のとおりである。
［一致点］
　「個人の予め設定したフィットネス目標値，体重目標値及びエネルギー消費目標値のうち少なくとも１つに関するフィードバックを与えるシステムであって，
　個人の生理学的パラメータ及びコンテキストパラメータのうちの少なくとも１つを表わす電子的信号を発生する，ユーザーが着用可能なセンサー装置と，
　該センサー装置から電子的センサー信号を受ける処理ユニットとより成り，
　(i)入力装置から個人の予め設定した目標値を受け，
　(ii)目標達成のために推奨される行動の修正及び目標達成のための計画のうちの少なくとも１つを表わし，ユーザーに提供される電子的出力フィードバック信号を発生させ，
　処理ユニットは，
　(iii)電子的出力フィードバック信号を電子的センサー信号と比較することにより，予め設定した目標値に対する個人の進捗状況及びフィードバックの有効性を評価し，
　(iv)目標達成のために推奨される行動の再修正及び目標達成のための計画の修正のうちの少なくとも１つより成る評価結果に基づき電子的出力フィードバック信号を修正するように構成されており，修正された電子的出力フィードバック信号はユーザーに提供されるシステム。」
　
［相違点１］
　本願発明は，処理ユニットが「センサー装置と電子通信関係」にあるのに対し，引用発明は，ユーザーが，センサー装置（身体的活動モニター）に加え，「ＰＤＡ」を所持し，「処理ユニット（遠隔コンピュータ）」と「センサー装置（身体的活動モニター）からのデータを受信するＰＤＡ」とが「電子通信関係」にある点。
　
［相違点２］
　「入力装置から個人の予め設定した目標値を受け，目標達成のために推奨される行動の修正及び目標達成のための計画のうちの少なくとも１つを表わし，ユーザーに提供される電子的出力フィードバック信号」を，本願発明は，「処理ユニット」が発生させるのに対し，引用発明は，「ＰＤＡ」が発生させる点。
　
［相違点３］
　本願発明のシステムは，「一体型システム」であるのに対し，引用発明のシステムは，「一体型」であることが明示的に特定されていない点。
　
４．相違点に対する判断
（１）相違点１について
ア　本願発明に特定された，「処理ユニット」が「センサー装置と電子通信関係」にある点について，本願明細書の記載を参照すれば，「センサー装置１０から中央モニターユニット３０へ保存蓄積のために行うデータのアップロードには，種々の方法がある。一実施例において，センサー装置１０が収集するデータは，最初に図１に示すパソコン３５へ，例えば，ＲＳ２３２またはＵＳＢポートのようなシリアル接続手段である物理的接続手段４０により転送してアップロードされる。・・・センサー装置１０により収集されるデータは，最初に，データを，４５で示す赤外線または無線通信のような短距離無線通信方式によりパソコン３５へ伝送することによりアップロードしてもよい。」（段落【００４８】）と記載されていることから，「センサー装置と電子通信関係」にあるとは，センサー装置と処理ユニットとがパソコンを介して電子通信関係にある態様を含むものである。
　そうすると，引用発明における，ユーザーが，「ＰＤＡ」を所持し，「身体的活動モニターからのデータを受信するＰＤＡ」が遠隔コンピュータと「電子通信関係」にある態様についても，「処理ユニット」は「センサー装置と電子通信関係」にあるということができるから，相違点１は，実質的な相違点ではない。
　仮に，本願発明における「センサー装置と電子通信関係にあって」が，処理ユニットとセンサー装置とが直接「電子通信関係」にあることを意味するとしても，複数の装置が備える機能を１つの装置に集約することが周知の技術手段であることからすれば，引用発明において，身体的活動モニターにＰＤＡの機能を集約し，身体的活動モニターと遠隔コンピュータとが「電子通信関係」にある構成とすることは，当業者が容易に想到し得たことである。
　
（２）相違点２について
　引用発明におけるＰＤＡと遠隔コンピュータとは通信ネットワークを介してデータを伝送することができるように構成されており，身体的活動モニターからの活動関連データは，遠隔コンピュータにも送信されることから，ＰＤＡと遠隔コンピュータは，いずれも活動関連データを有している。また，引用例には「ＰＤＡは，それ自身又は遠隔コンピュータシステムにおいて作動するカロリー管理ソフトウェア」（記載事項ｇ）と記載されており，カロリー管理プログラム（カロリー管理ソフトウェア）による処理を，遠隔コンピュータが行ってもよいことが示唆されている。
　これらのことからすれば，カロリー管理プログラムが実行する「体重調整プログラムを開始する際の設定処理において，ユーザーが，ＰＤＡから初期体重等の開始パラメータ，安静代謝率ＲＭＲ，体重目標を含む目標等を入力すると，カロリー管理プログラムは，安静代謝率ＲＭＲ及び活動エネルギー消費量ＡＥＥの推定値（身体的活動の推定レベル）に基づき総エネルギー消費量ＴＥＥを推定し，体重目標を満足する許容カロリー摂取量を計算し，ここで，ユーザーは，活動レベルを変更することにより許容カロリー摂取量を変更することができ，その後，ユーザーが入力パラメータが正しいことを確認すると設定処理を終了して体重調整プログラムを開始」する処理は，ＰＤＡと遠隔コンピュータのいずれの側においても実行可能であり，前記処理をＰＤＡと遠隔コンピュータのいずれの側で実行する構成とするかは，当業者が適宜選択できる設計事項ということができる。
　引用発明において，本願発明の「入力装置から個人の予め設定した目標値を受け，目標達成のために推奨される行動の修正及び目標達成のための計画のうちの少なくとも１つを表わし，ユーザーに提供される電子的出力フィードバック信号を発生させ」に相当する処理を，遠隔コンピュータが実行するように変更することは，当業者が容易に想到し得たことである。
　
（３）相違点３について
　本願発明には，「個人の予め設定したフィットネス目標値，体重目標値及びエネルギー消費目標値のうち少なくとも１つに関するフィードバックを与える一体型システムであって，個人の生理学的パラメータ及びコンテキストパラメータのうちの少なくとも１つを表わす電子的信号を発生する，ユーザーが着用可能なセンサー装置と，センサー装置と電子通信関係にあって，該センサー装置から電子的センサー信号を受ける処理ユニットとより成り」と特定されており，明細書を参照しても，「一体型システム」の技術的意義について上記発明特定事項以上の記載はないことから，「一体型システム」とは，「システムを構成する各要素（センサー装置と処理ユニット）が電子通信関係にあるシステム」の意味と解される。
　そうすると，引用発明は，身体的活動モニター，ＰＤＡ，及び遠隔コンピュータが電子通信関係にあり，これらの要素が全体としてシステムを構成していることから，本願発明と同様に「一体型システム」ということができる。
　相違点３は実質的な相違点ではない。
　
（４）そして，これらの相違点を総合的に勘案しても，本願発明の奏する作用効果は，引用発明の奏する作用効果から予測される範囲内のものにすぎず，格別顕著なものということはできない。
　したがって，本願発明は，引用例に記載された発明に基づいて，当業者が容易に発明をすることができたものであり，特許法２９条２項の規定により特許を受けることができない。
　
５．請求人の主張について
（１）請求人は，本願発明は，電子的センサー信号を直接利用するのに対し，引用発明は，安静時代謝率ＲＭＲを求めるために携帯型間接的カロリメーターを利用しており，また体重をモニター装置が測定する構成になっていないなどと主張する。
　しかしながら，引用発明においても，前記のとおり，身体的活動モニターが発生するデータは，「携帯情報端末ＰＤＡ」に送信されるとともに，ＰＤＡから通信ネットワークを介して，「遠隔コンピュータ」にも伝送されるものであり，実質的に，身体的活動モニターが発生するデータを利用するものである。さらに，本願発明には，電子的センサー信号やフィードバック情報の具体的内容については何ら特定されておらず，請求人の主張は，本願発明に特定された事項に基づくものではない。
　なお，本願明細書には，例えば，「このシステムはさらに，手動入力，トランシーバにより作動される体重測定装置のような第２の装置から受信されるデータもしくはその装置により収集されるデータを解釈するための体重及び体脂組成物追跡サブシステムを含む。」（段落【００３０】），「センサー装置１０による個人ユーザーの生理学的データを自動的に収集するだけでなく，例えば，個人の体重を測定するか，個人の手または体の他の部分を載せるセンサー装置１０に類似の感知装置によるか，若しくは，例えばレーザー技術またはｉＳｔ血液分析装置を用いて個人の体を走査することにより，データを収集するように，キオスクを構成することができる。」（段落【００５２】），「別の実施例として，人体上に必ずしも着用されない第三者の装置を取り込み，生理学的状態に関するさらに別のデータを収集するものがある。それらの例には，携帯用血液分析器，グルコースモニター，体重計，血圧測定用カフ，パルスオキシメータ，ＣＰＡＰ装置，携帯用酸素装置，家庭用サーモスタット，トレッドミル，携帯電話及びＧＰＳ位置測定装置が含まれる。」（段落【００５３】）との記載があることから，本願発明は，「ユーザーが着用可能なセンサー装置」以外のセンサーを利用することや，ユーザーがシステム外部のセンサーから取得したデータを「手動入力」することを排除するものではない。
　よって，請求人の上記主張は，理由がない。
　
（２）請求人は，引用例のシステムではセンサーから得られるコンテキストパラメータが考慮されないなどと主張する。
　しかしながら，本願発明の発明特定事項には，「個人の生理学的パラメータ及びコンテキストパラメータのうちの少なくとも１つを表わす電子的信号を発生する，ユーザーが着用可能なセンサー装置」と特定されており，コンテキストパラメータを考慮するか否かは選択事項である。請求人の主張は，本願発明に特定された技術的事項に基づくものではなく，理由がない。
　なお，引用例には，身体的活動モニターには，生理学的モニター，物理学的モニター，又は環境モニターとしての機能を持たせることができることが記載されており（記載事項ｈ），コンテキストパラメータを考慮する態様についても開示されている。
　
（３）請求人は，本願発明の「フィードバックの修正」は，実体的な計画や行動の修正を内容とするものであるのに対し，引用発明は，フィードバックの表示を，諭すような調子，強い調子，優しい調子のいずれにするかを選択しているにすぎないと主張する。
　しかしながら，本願発明には，「フィードバック」や「フィードバックの修正」の内容は特定されておらず，請求人の主張は，本願発明に特定された事項に基づくものではない。請求人の主張は，理由がない。
　なお，本願明細書には，「フィードバック」について，例えば，「フィードバックは個人の行動を修正する示唆を含むことができる。」（段落【００３０】），「フィードバックは，ユーザーの現在の進捗状況に応じて多種多様な選択肢を与えることができる。ユーザーが体重が減少すると共に毎日の目標カロリー摂取量及び全エネルギー消費量の目標を達成している場合，何ら調整を行うことなくプログラムを継続するように奨励される。ユーザーが予め設定した目標に従って体重が減少しない場合，全エネルギー消費量を増加し，毎日のカロリー摂取量を減少させ，全エネルギー消費量の増加と毎日のカロリー摂取量の減少の組み合わせによりエネルギーバランスの目標に到達するかより達成可能なように目標を再設定するオプションが与えられる。」（段落【０１３１】）との記載があり，本願発明においても，「フィードバック」や「フィードバックの修正」には，「示唆」や「奨励」が含まれるのであるから，請求人が主張するところの「諭すような調子」，「強い調子」，「優しい調子」による表示を排除するものではない。
　
５．むすび
　以上のとおり，本願発明は，特許法２９条２項の規定により特許を受けることができないから，本願は，他の請求項について検討するまでもなく，拒絶すべきものである。
　よって，結論のとおり審決する。